(57)【特許請求の範囲】
【請求項１】
複数の側辺を有する風呂蓋であって、
芯部材と、当該芯部材の厚み方向の両面に設けられる表面部材と、を含む本体部と、
前記本体部の外側面に設けられる指掛部と、
を備え、
前記指掛部は、前記複数の側辺の少なくとも一つの側辺の延在範囲の全域にわたって設けられ、
前記指掛部は、前記厚み方向に離間して設けられ、前記外側面から側方に同位置まで突出する第１指掛部と第２指掛部とを含み、
前記第１指掛部と前記第２指掛部との間には、手指が進入可能な後退部が設けられることを特徴とする風呂蓋。
【請求項２】
前記本体部の外側面は、前記指掛部が設けられる領域で、前記芯部材の外側面が前記表面部材の外側面と同面または前記表面部材の外側面よりはみ出して設けられることを特徴とする請求項１に記載の風呂蓋。
【請求項３】
前記指掛部は、前記複数の側辺の一つの側辺を除く他の側辺の延在範囲にわたって設けられることを特徴とする請求項１または２に記載の風呂蓋。
【請求項４】
前記指掛部は、前記側辺の隣接する２つの側辺が接続される角部に設けられる部分を有することを特徴とする請求項１から３のいずれかに記載の風呂蓋。
【請求項５】
前記指掛部は、前記本体部の前記厚み方向の端面上に張り出す部分を有することを特徴とする請求項１から４のいずれかに記載の風呂蓋。
【請求項６】
前記指掛部は、前記表面部材の外側面より側方に突き出されることを特徴とする請求項１から５のいずれかに記載の風呂蓋。
【請求項７】
前記第１指掛部は、前記第２指掛部側に前記厚み方向に対する角度が３０度から６０度の範囲である傾斜部を含み、
前記第２指掛部は、前記第１指掛部側に前記厚み方向に対する角度が３０度から６０度の範囲である傾斜部を含むことを特徴とする請求項１から６のいずれかに記載の風呂蓋。
【発明の詳細な説明】
【技術分野】
【０００１】
本発明は、浴槽の開口を覆うための風呂蓋に関する。
【背景技術】
【０００２】
従来から、浴槽内に溜めた湯の温度を維持するために浴槽の開口を覆うための風呂蓋が知られている。例えば特許文献１には外周に外縁被覆部材を備える風呂蓋が記載されている。
【先行技術文献】
【特許文献】
【０００３】
【特許文献１】特開２０１３−７０８２９号公報
【発明の概要】
【発明が解決しようとする課題】
【０００４】
ところで、特許文献１に記載の風呂蓋は、断熱材の表面および裏面に表面材を配するとともに、外周に外縁被覆部材を配して構成している。風呂蓋の外周の少なくとも一部において、断熱材の外周面から内側に切り欠いて切り欠きを形成して、この切り欠きを、外縁被覆部材で覆い、凹み部を備えた手掛け部を設けている。このため、このような風呂蓋では、外縁の手掛け部以外の任意の位置で指掛けすることができず、風呂蓋を外すときに手指への負担が大きくなる問題がある。
【０００５】
このような風呂蓋では、断熱材の外周面から内側に切り欠いて切り欠きを形成しているからその部分で、断熱材の非介在領域が形成される。断熱材の非介在領域が形成されると、その部分で風呂蓋の断熱性能が低下して、浴槽内に溜めた湯の温度の低下が早く進行する問題がある。
【０００６】
また、断熱性能を維持するため、手掛け部を削除することも考えられるが、浴槽のフランジ部の上面に張り付いた状態の風呂蓋を外す作業が困難になることがある。特に、湯温が低下することで、風呂蓋で閉ざされた浴槽内の気圧が下がり、風呂蓋がフランジ部に密着する場合は、風呂蓋を外す作業で手指に負担を掛けることも考えられる。
【０００７】
また、断熱材の外周面から内側に切り欠いて切り欠きを形成するためには、そのための特別な工程を用意して、その工程を実行することになるから、風呂蓋の製造に余計な生産設備と余計な手間がかかる問題があった。
このように従来の風呂蓋には、断熱性能を維持しながら容易に指掛け可能にする観点から改善する余地があった。
【０００８】
本発明の目的は、このような課題に鑑みてなされたもので、断熱性能を維持しつつ指掛けを容易にする風呂蓋の技術を提供することにある。
【課題を解決するための手段】
【０００９】
上記課題を解決するために、本発明のある態様の風呂蓋は、複数の側辺を有する風呂蓋であって、芯部材と、当該芯部材の厚み方向の両面に設けられる表面部材と、を含む本体部と、本体部の外側面に設けられる指掛部と、を備える。指掛部は、複数の側辺の少なくとも一つの側辺の延在範囲の全域にわたって設けられ、指掛部は、厚み方向に離間して設けられ、外側面から側方に同位置まで突出する第１指掛部と第２指掛部とを含み、第１指掛部と第２指掛部との間には、手指が進入可能な後退部が設けられる。
【００１０】
この態様によると、風呂蓋において、指掛部が少なくとも一つの側辺の延在範囲にわたって設けられるから、その側辺で断熱性能を維持しつつ、任意の位置で容易に指掛けすることができる。
【発明の効果】
【００１１】
本発明によれば、断熱性能を維持しながら、容易に指掛けすることができる風呂蓋の技術を提供することができる。
【図面の簡単な説明】
【００１２】
【図１】実施形態に係る風呂蓋の使用状態を示す斜視図である。
【図２】実施形態に係る風呂蓋の斜視図である。
【図３】実施形態に係る風呂蓋の別の斜視図である。
【図４】実施形態に係る風呂蓋の平面図である。
【図５】図４のＡ−Ａ線に沿った縦断面図である。
【図６】図４のＢ−Ｂ線に沿った縦断面図である。
【図７】カバー部材が本体部に巻き付けられる状態を示す平面図である。
【図８】実施形態に係る風呂蓋を浴槽のフランジ部に載置した状態を示す縦断面図である。
【図９】実施形態に係る風呂蓋を浴槽のフランジ部の段部に載置した状態を示す縦断面図である。
【図１０】実施形態に係る二つの風呂蓋が接する状態を示す縦断面図である。
【発明を実施するための形態】
【００１３】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
図１は、本発明の実施形態に係る風呂蓋１００の使用状態を示す斜視図であり、図２は風呂蓋１００の斜視図であり、図３は風呂蓋の別の方向から視た斜視図である。以下、ＸＹＺ直交座標系をもとに、浴槽１１０に水平に置いた状態の風呂蓋１００の姿勢に基づく方向によって説明する。方向Ｘは水平な左右方向であって風呂蓋１００の短手方向に対応する。方向Ｙは水平な前後方向であって風呂蓋１００の長手方向に対応する。方向Ｚは鉛直な上下方向であって風呂蓋１００の厚み方向に対応する。方向Ｙおよび方向Ｚはそれぞれ方向Ｘに直交に直交する。方向Ｘは左方向あるいは右方向と、方向Ｙは前方向あるいは後方向と、方向Ｚは上方向あるいは下方向と表記することがある。図１において風呂蓋１００を矢印Ｑの方向から視て向かって右側を右と、左側を左という。
【００１５】
図１に示すように、浴槽１１０は、そのフランジ部１１２の開口が２枚の風呂蓋１００によって覆われるように構成されている。浴槽１１０の上部には、フランジ部１１２の内側にフランジ部１１２から１段下がったリブ段部１１４が周状に設けられている。２枚の風呂蓋１００はフランジ部１１２の上面またはリブ段部１１４に載置される。図１の例では、２枚の風呂蓋１００はリブ段部１１４に載置される。
【００１６】
図４は風呂蓋１００の平面図であり、図５は風呂蓋１００のＡ−Ａ線に沿った縦断面であり、図６は風呂蓋１００のＢ−Ｂ線に沿った縦断面図である。Ａ−Ａ線は風呂蓋１００の方向Ｙの範囲を二等分する線であり、Ｂ−Ｂ線は風呂蓋１００の方向Ｘの範囲を二等分する線である。図７は、後述するカバー部材１０が本体部４０に巻き付けられる様子を示す平面図である。
【００１７】
実施形態の風呂蓋１００は、複数の側辺５０を有する風呂蓋１００であって、芯部材２０と、当該芯部材２０の厚み方向の両面に設けられる表面部材３０と、を含む本体部４０と、本体部４０の外側面４２に設けられる指掛部１２と、を備える。本体部４０の外側面４２は、指掛部１２が設けられる領域で、芯部材２０の外側面２２が表面部材３０の外側面３２と同面または表面部材３０の外側面３２から延出して設けられる（図５の楕円Ｅも参照）。指掛部１２は、本体部４０の外側面４２に装着されるカバー部材１０に形成されてもよい。
【００１８】
図４に示すように、風呂蓋１００の複数の側辺５０は、前側辺５０ａと、外側辺５０ｂと、後側辺５０ｃと、内側辺５０ｄと、を含む。２枚の風呂蓋１００は、それぞれの外側辺５０ｂを左右方向で外側にして、それぞれの内側辺５０ｄを内側にして接するように配置される。
【００１９】
図５に示すように、本体部４０は、芯部材２０と、芯部材２０の厚み方向の両面に設けられる表面部材３０と、を含む。芯部材２０は保温性を有する発泡樹脂の板材から機械的な加工によって形成される。芯部材２０は、例えば発泡ポリスチレンの板材から形成することで、風呂蓋として適度な堅さと良好な断熱性能および難燃性とを備えうる。
【００２０】
表面部材３０は、耐湿性を有する樹脂の薄板材から機械的な加工によって形成される。表面部材３０は、例えばポリプロピレンから形成することで、風呂蓋として適度な堅さと良好な難燃性とを備えうる。芯部材２０の両面に２枚の表面部材３０が例えば加熱接着によって貼り付けることで母材が形成される。この母材を所望の寸法に切断して、所定の角部に曲面加工などを施すことで、２枚の表面部材３０の間に芯部材２０が挟まれたサンドイッチ構造の本体部４０が形成される。
【００２１】
カバー部材１０は、弾性を有するゴム様樹脂から押出成形加工された母材を所定の寸法に切断して形成される。カバー部材１０は、例えば熱可塑性を有するオレフィン系エラストマーから形成できる。図７に示すように、カバー部材１０は、本体部４０の外側面４２に巻き付けられて接着固定される。カバー部材１０には、芯部材２０との接着面積を増すために内側に突出する突部１９が設けられ、芯部材２０には突部１９に対応する凹部２１が設けられる。
【００２２】
次に、風呂蓋１００の断面構造について説明する。図５に示すように、風呂蓋１００の本体部４０は２枚の表面部材３０の間に芯部材２０が挟まれたサンドイッチ構造を有する。本体部４０には、その厚み方向（方向Ｚ）の端面４１に沿った方向の外側の外側面４２を覆うように装着されるカバー部材１０が設けられている。カバー部材１０の外側には指掛けするための指掛部１２が形成されている。指掛部１２は風呂蓋１００の側辺５０に沿って連続して設けられている。
【００２３】
指掛部１２はカバー部材１０の本体部４０と反対側である外側面から外向きに飛び出す形状を有する。指掛部１２は本体部４０の端面側に近い位置に形成される端面裾部１２ｂと、上下方向で本体部４０の端面から遠い側に形成される傾斜部１２ａと、端面裾部１２ｂと傾斜部１２ａとが交わる部分である頂部１２ｐと、を含む。風呂蓋１００の指掛部１２には、上下に離間して第１指掛部１１と第２指掛部１３とが設けられる。上下方向にて第１指掛部１１と第２指掛部１３の間には内側に後退する後退部１２ｃが設けられる。手指は後退部１２ｃに進入して傾斜部１２ａに指掛けされる。
【００２４】
図５の楕円Ｅに示すように、本体部４０の外側面４２は、指掛部１２が設けられる領域で、芯部材２０の外側面２２が表面部材３０の外側面３２と同面に設けられている。なお、外側面２２が外側面３２と同面に設けられることには、外側面２２の一部に凹部２１のように小さな凹部を有している場合も含むものとする。凹部２１には突部１９が進入して接着されている。また、本体部４０の外側面４２は、指掛部１２が設けられる領域で、芯部材２０の外側面２２が、表面部材３０の外側面３２から延出して設けられてもよい。
【００２５】
風呂蓋１００は任意の部分で指掛できることが望ましい。このため指掛部１２は、カバー部材１０の複数の側辺５０の少なくとも一つの側辺である前側辺５０ａの延在範囲にわたって設けられる。つまり、側辺の一部でなく一つの側辺の延在範囲にわたって設けられる。実施の形態の風呂蓋１００では、指掛部１２は、カバー部材１０の、複数の側辺５０の一つの内側辺５０ｄを除く他の前側辺５０ａと、外側辺５０ｂと、後側辺５０ｃの延在範囲にわたって設けられる。２枚の風呂蓋１００を用いる場合に、内側辺５０ｄ同士が接近しやすいように、内側辺５０ｄには指掛部１２が設けられていない。
【００２６】
図７に示すように、カバー部材１０は本体部４０の所定の側辺５０に巻き付けられる。カバー部材１０は、第１カバー部材１０ａと、第２カバー部材１０ｂと、角部カバー部材１０ｃと、を含む。第１カバー部材１０ａは、風呂蓋１００の前側辺５０ａと、外側辺５０ｂと、後側辺５０ｃとに対応して連続して装着される。第２カバー部材１０ｂは風呂蓋１００の内側辺５０ｄに対応して装着される。角部カバー部材１０ｃは、後述する接続角部５０ｅおよび接続角部５０ｆに対応して装着される。角部カバー部材１０ｃと第１カバー部材１０ａおよび角部カバー部材１０ｃと第２カバー部材１０ｂは、それぞれ加熱圧着によって固着されている。第１カバー部材１０ａには指掛部１２が形成されており、第２カバー部材１０ｂと角部カバー部材１０ｃとには指掛部１２は形成されていない。つまり、第１カバー部材１０ａが装着される領域に指掛部１２が設けられている。
【００２７】
風呂蓋１００には、図４に示すように、隣接する２つの側辺が接続される接続角部５０ｅ、５０ｆ、５０ｇおよび５０ｈが設けられる。接続角部５０ｅは内側辺５０ｄと後側辺５０ｃの境界に、接続角部５０ｆは内側辺５０ｄと前側辺５０ａの境界に、接続角部５０ｇは外側辺５０ｂと前側辺５０ａの境界に、接続角部５０ｈは外側辺５０ｂと後側辺５０ｃの境界に、それぞれ設けられる。接続角部５０ｅ、５０ｆは角状に形成され、接続角部５０ｇ、５０ｈは上面視で四分円形状などの曲線形状に形成される。
【００２８】
既述したように風呂蓋１００は任意の部分で指掛できることが望ましく、例えば角部でも指掛けできることが求められている。そこで、風呂蓋１００では、図７に示すように、指掛部１２は、側辺が接続される角部に巻き付けられる部分である角巻き部１６を有している。具体的には、指掛部１２は、隣接する２つの側辺が接続される接続角部５０ｇ、５０ｈに巻き付けられる部分である角巻き部１６を含んでいる。
【００２９】
指掛部１２に指掛するために、指掛部１２には風呂蓋１００を支えうる剛性が求められる。そこで、風呂蓋１００では、図５に示すように、指掛部１２は、本体部４０の端面４１上に張り出す部分である端面裾部１２ｂを有している。端面裾部１２ｂが本体部４０の端面４１上に張り出すことにより、指掛部１２に指をかけて持ち上げた際に張り出す部分により変形が緩和され破損防止につながる。
【００３０】
指掛部１２に指を掛け易くするために、指掛部１２は左右方向で外向きに突出していることが望ましい。そこで、風呂蓋１００では、図５に示すように、指掛部１２は、表面部材３０の外側面３２より側方に突き出されている。つまり、指掛部１２が、厚み方向で表面部材３０の外側面３２に対応する位置に設けられている。例えば、図５の楕円Ｆに示すように指掛部１２の頂部１２ｐが、表面部材３０の外側面３２から側方（図５では方向Ｘ）に延伸する直線Ｍの近傍に設けられてもよい。
【００３１】
風呂蓋は裏表を自在に替えて使用されることが多い。一方で、指掛部１２に指を掛け易くするために、指掛部１２はカバー部材１０の下端面から上方に離れて設けられることが望ましい。そこで、風呂蓋１００では、図５に示すように、指掛部１２は、厚み方向（方向Ｚ）に離間して設けられる第１指掛部１１と第２指掛部１３とを含んでいる。特に、第１指掛部１１は本体部４０の一方の端面４１に寄って設けられ、第２指掛部１３は本体部４０の他方の端面４３に寄って設けられる。つまり、指掛け部となる第１指掛部１１と第２指掛部１３とが上側と下側とに離れて２条設けられている。
【００３２】
指掛部１２に上側から手指を掛け易くするために、指掛部１２には外側が上る勾配が設けられることが望ましい。そこで、風呂蓋１００では、図５に示すように、第１指掛部１１は、第２指掛部１３側に傾斜部１２ａを含んでいる。傾斜部１２ａの厚み方向に対する角度は、例えば３０度から６０度の範囲に設定されてもよく、実施の形態では実質的に４５度に設定されている。また、第２指掛部１３の第１指掛部１１側の裾部の傾斜部１２ａについても同様である。
【００３３】
次に、このように構成された風呂蓋１００を使用する方法を説明する。図８は、風呂蓋１００を浴槽１１０のフランジ部１１２に載置した状態を示し、図８に示す状態では、第１カバー部材１０ａの下側の第２指掛部１３はフランジ部１１２の上面１１２ａに接しており、上側の第１指掛部１１はフランジ部１１２の上面１１２ａから斜め上方に突き出ている。この状態で第１指掛部１１の下側に手指１１６を掛けて上方に持ち上げることで、風呂蓋１００の一端を容易に持ち上げることができる。
【００３４】
図９は、風呂蓋１００を浴槽１１０のフランジ部１１２のリブ段部１１４に載置した状態を示す。図９に示す状態では、第１カバー部材１０ａの下側の第２指掛部１３はリブ段部１１４の上面１１４ａに接しており、上側の第１指掛部１１はリブ段部１１４の上面１１４ａから斜め上方に突き出ている。この状態で第１指掛部１１の下側に手指１１６を掛けて上方に持ち上げることで、風呂蓋１００の一端を容易に持ち上げることができる。
【００３５】
図１０は、二つの風呂蓋１００がそれぞれの内側辺５０ｄ同士を接して使用される状態を示す。内側辺５０ｄ同士を接近させることで、これらの間の隙間を小さくして、この隙間からの放熱を抑えることができる。
【００３６】
次に、このように構成された風呂蓋１００の特徴を説明する。
本発明の実施形態の風呂蓋１００では、本体部４０の外側面４２に設けられる指掛部１２を備え、本体部４０の外側面４２は、指掛部１２が設けられる領域で、芯部材２０の外側面２２が表面部材３０の外側面３２と同面または表面部材３０の外側面３２から延出して設けられるから、芯部材２０が介在しない領域を最小限にして風呂蓋の断熱性能の低下を抑制しつつ、指掛部１２に手指を掛けて持ち上げることで、浴槽１１０から容易に取り外すことができ、風呂蓋１００を外す作業での手指への負担を緩和することができる。
【００３７】
風呂蓋１００では、指掛部１２が、複数の側辺５０の少なくとも一つの側辺、例えば前側辺５０ａの延在範囲にわたって設けられるから、前側辺５０ａの任意の位置で指掛けすることができる。また、本体部４０の前側辺５０ａの全域にわたって指掛部１２を有する第１カバー部材１０ａを一様に装着するから、一部に切り欠き部を設ける場合と比較して、切り欠き部を設けるための余計な生産設備や余計な手間を省くことが可能になる。側辺の途中に切欠いた部分があると、その部分に水が留まり水垢が付着する原因になる。風呂蓋１００では、指掛部１２が一つの側辺の延在範囲にわたって設けられるから、風呂蓋１００を立てかけた場合や、一端側を持ち上げて斜めにすることで、側辺に付着した水などが下方まで滑らかに流れ、水垢の付着を抑制することができる。
【００３８】
風呂蓋１００では、指掛部１２が、複数の側辺５０の一つの内側辺５０ｄを除く他の前側辺５０ａと、外側辺５０ｂと、後側辺５０ｃの延在範囲にわたって設けられるから、これらの側辺に連続して指掛部１２を有する第１カバー部材１０ａを装着することで製造できる。このため、これらの側辺に別々に指掛部を設ける場合と比較して、製造の手間を減らすことができる。なお、内側辺５０ｄに指掛部を設けないことにより内側辺５０ｄ同士の間の隙間を小さくできる。
【００３９】
風呂蓋１００では、指掛部１２が、複数の側辺の２つの側辺が接続される角部に巻き付けられる部分である角巻き部１６を有するから、角部でも指掛部１２に指掛けすることができる。このため、風呂蓋１００は、外向きの３側辺とその角部の任意の部分で指掛けして持ち上げることができる。
【００４０】
風呂蓋１００では、指掛部１２に、本体部４０の端面４１上に張り出す部分である端面裾部１２ｂを有するから、指掛部１２に上向力が入力された場合の回転モーメントの一部を端面裾部１２ｂが端面４１で支えることで指掛部１２の剛性を向上できる。
【００４１】
風呂蓋１００では、指掛部１２が表面部材３０の外側面３２より側方に突き出されるから、指掛部１２に指を掛け易くなり、比較的重い風呂蓋でも取り外しの負担が緩和される。
【００４２】
風呂蓋１００では、指掛部１２が厚み方向（方向Ｚ）に離間して設けられる第１指掛部１１と第２指掛部１３とを含むから、風呂蓋１００を裏返した場合でも、第１指掛部１１と第２指掛部１３の何れかに指を掛けることができる。
【００４３】
風呂蓋１００では、第１指掛部１１が、第２指掛部１３側に厚み方向に対する角度が３０度から６０度の範囲である傾斜部１２ａを含むから、傾斜を有しない場合と比較して、斜め上側から差し込んだ手指との接触面積が増えて荷重が分散することで手指への負担が緩和される。特に、傾斜部１２ａの厚み方向に対する角度が実質的に４５度にされる場合は、実用範囲の強度を確保しつつ指掛けの感触に優れる突き出し量を実現できる。
【００４４】
以上、本発明の実施の形態をもとに説明した。これらの実施の形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００４５】
実施の形態の説明では、上下に離れた２条の指掛部が設けられる例について説明したがこれに限られない。指掛部は一条であってもよく、３条以上であってもよい。
【００４６】
説明に使用した図面では、部材の関係を明瞭にするために一部の部材の断面にハッチングを施しているが、当該ハッチングはこれらの部材の素材や材質を制限するものではない。
【符号の説明】
【００４７】
１０  カバー部材、  １０ａ  第１カバー部材、  １０ｂ  第２カバー部材、
１０ｃ  角部カバー部材、  １１  第１指掛部、  １２  指掛部、
１２ａ  傾斜部、  １２ｂ  端面裾部、  １３  第２指掛部、
１９  突部、  ２０  芯部材、  ２１  凹部、  ２２  外側面、
３０  表面部材、  ３２  外側面、  ４０  本体部、  ４１  端面、
４２  外側面、  ４３  端面、  ５０  側辺、  ５０ａ  前側辺、
５０ｂ  外側辺、  ５０ｃ  後側辺、  ５０ｄ  内側辺、
５０ｅ  接続角部、  １１０  浴槽、  １１２  フランジ部、
１１４  リブ段部、  １００  風呂蓋。
【図１】
0006654431.tif 000002
【図２】
0006654431.tif 000003
【図３】
0006654431.tif 000004
【図４】
0006654431.tif 000005
【図５】
0006654431.tif 000006
【図６】
0006654431.tif 000007
【図７】
0006654431.tif 000008
【図８】
0006654431.tif 000009
【図９】
0006654431.tif 000010
【図１０】
0006654431.tif 000011